(57)【要約】【課題】静磁場の調整を容易に可能にする。【解決手段】撮影空間１１に静磁場を発生する永久磁石１０２と、永久磁石１０２が発生する静磁場を調整する電磁石コイル１１３がマトリクス状に配置されている整磁板１０３と、整磁板１０３に配置されている電磁石コイル１１３を制御する電磁石コイル制御部１１４とを備える。マトリクス状に配置されている電磁石コイル１１３が、電磁石コイル制御部１１４により制御されて、静磁場発生源である永久磁石１０２が発生する静磁場を調整する。【選択図】図３
2005278805.tif 000002
【特許請求の範囲】
【請求項１】
被検体が収容される空間に静磁場を形成する静磁場形成手段と、
前記静磁場が生成される空間に勾配磁場を形成する勾配磁場形成手段と、
前記静磁場と前記勾配磁場とが形成され前記被検体が収容される空間に電磁波を送信する送信手段と、
前記電磁波が送信される被検体からの磁気共鳴信号を受信する受信手段と、
前記受信される磁気共鳴信号に基づいて前記被検体の画像を形成する画像形成手段と、
を具備し、
前記静磁場形成手段は、
前記静磁場を発生する静磁場発生源と、
前記静磁場発生源が発生させる静磁場を調整する電磁石コイルがマトリクス状に配置されている整磁板と、
前記整磁板に配置されている電磁石コイルを制御する電磁石コイル制御手段と
を有する
磁気共鳴イメージング装置。
【請求項２】
前記電磁石コイル制御手段は、前記電磁石コイルのそれぞれを制御するように設けられている
請求項１に記載の磁気共鳴イメージング装置。
【請求項３】
前記整磁板は、前記電磁石コイルが複数積み重なるようにして配置されており、
請求項１から２のいずれかに記載の磁気共鳴イメージング装置。
【請求項４】
前記電磁石コイル制御手段は、前記電磁石コイルをオン状態またはオフ状態にするように制御する
請求項１から３のいずれかに記載の磁気共鳴イメージング装置。
【請求項５】
前記整磁板は、前記生成される静磁場の中央側に対応するように前記電磁石コイルが配置され、前記生成される静磁場の周辺側に対応するように磁極片が配置されている
請求項１から４のいずれかに記載の磁気共鳴イメージング装置。
【請求項６】
前記静磁気発生源は、前記被検体が収容される空間を挟むように配置され前記静磁場を生成する一対の永久磁石を有する
請求項１から５のいずれかに記載の磁気共鳴イメージング装置。
【請求項７】
空間に静磁場を形成する静磁場形成装置であって、
前記静磁場を発生する静磁場発生源と、
前記静磁場発生源が発生させる静磁場を調整する電磁石コイルがマトリクス状に配置されている整磁板と、
前記整磁板に配置されている電磁石コイルを制御する制御手段と
を有する
静磁場形成装置。
【請求項８】
前記電磁石コイル制御手段は、前記電磁石コイルのそれぞれを制御するように設けられている
請求項７に記載の静磁場形成装置。
【請求項９】
前記整磁板は、前記電磁石コイルが複数積み重なるようにして配置されており、
請求項７から８のいずれかに記載の静磁場形成装置。
【請求項１０】
前記電磁石コイル制御手段は、前記電磁石コイルをオン状態またはオフ状態にするように制御する
請求項７から９のいずれかに記載の静磁場形成装置。
【請求項１１】
前記整磁板は、前記生成される静磁場の中央側に対応するように前記電磁石コイルが配置され、前記生成される静磁場の周辺側に対応するように磁極片が配置されている
請求項７から１０のいずれかに記載の静磁場形成装置。
【請求項１２】
前記静磁気発生源は、前記被検体が収容される空間を挟むように配置され前記静磁場を生成する一対の永久磁石を有する
請求項７から１１のいずれかに記載の静磁場形成装置。
【発明の詳細な説明】
【技術分野】
【０００１】
本発明は、磁気共鳴イメージング装置および静磁場形成装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、核磁気共鳴（ＮＭＲ：Ｎｕｃｌｅａｒ  Ｍａｇｎｅｔｉｃ  Ｒｅｓｏｎａｎｃｅ）現象を利用して、被検体の断層画像を撮影できる装置として知られている。磁気共鳴イメージング装置は、医療用途、産業用途などさまざまな分野において、利用されている。
【０００３】
磁気共鳴イメージング装置を用いて被検体の断層画像を撮影する際においては、まず、静磁場が形成された撮影空間内に被検体を置き、被検体内のプロトン（ｐｒｏｔｏｎ）のスピンの方向を静磁場の方向へ整列させて磁化ベクトルを得た状態にする。その後、共鳴周波数の電磁波を照射することにより、核磁気共鳴現象を発生させてプロトンの磁化ベクトルを変化させる。そして、磁気共鳴イメージング装置は、元の磁化ベクトルに戻るプロトンからの磁気共鳴信号を受信し、その受信した磁気共鳴信号に基づいて被検体の断層画像を生成する。
【０００４】
ところで、磁気共鳴イメージング装置においては、撮影空間に形成される静磁場の強度が画像品質へ大きな影響を与えるため、静磁場の分布を均一にすることが要求されている。このため、従来において、撮影空間の静磁場の分布を均一にするためにさまざまな方法が提案されている（たとえば、特許文献１参照）。
【特許文献１】特開２０００−１２６１５２号公報
【発明の開示】
【発明が解決しようとする課題】
【０００５】
従来において、撮影空間の静磁場分布を均一にする際には、まず、その静磁場の分布を測定後、その測定結果に基づいて磁極片を整磁板に貼付けて静磁場を調整する。このため、従来においては、磁極片を正確な位置に貼り付けることが困難であり、微調整が難しかった。また、一般に、静磁場発生源と整磁板と保護するためにカバーが設けられているため、このカバーを取り外した後に、磁極片を貼り付けて静磁場の調整を行う必要がある。このため、製造時において、静磁場の調整を迅速に行うことができず、製造効率が低下していた。また、静磁場発生源として永久磁石を用いた場合、永久磁石が温度変化に敏感なため、カバー取り付け前後において静磁場の分布が異なって正確に静磁場を調整することが困難な場合があり、画像品質が低下する場合があった。
【０００６】
したがって、本発明の目的は、静磁場の調整が容易に可能であって製造効率の向上が可能であり、画像品質を向上可能な磁気共鳴イメージング装置および静磁場形成装置を提供することにある。
【課題を解決するための手段】
【０００７】
上記目的の達成のために本発明の磁気共鳴イメージング装置は、被検体が収容される空間に静磁場を形成する静磁場形成手段と、前記静磁場が生成される空間に勾配磁場を形成する勾配磁場形成手段と、前記静磁場と前記勾配磁場とが形成され前記被検体が収容される空間に電磁波を送信する送信手段と、前記電磁波が送信される被検体からの磁気共鳴信号を受信する受信手段と、前記受信される磁気共鳴信号に基づいて前記被検体の画像を形成する画像形成手段と、を具備し、前記静磁場形成手段は、前記静磁場を発生する静磁場発生源と、前記静磁場発生源が発生させる静磁場を調整する電磁石コイルがマトリクス状に配置されている整磁板と、前記整磁板に配置されている電磁石コイルを制御する電磁石コイル制御手段とを有する。
【０００８】
上記の本発明の磁気共鳴イメージング装置は、整磁板においてマトリクス状に配置されている電磁石コイルが、電磁石コイル制御手段により制御されて、静磁場発生源が発生する静磁場を調整する。
【０００９】
上記目的の達成のために本発明の静磁場形成装置は、空間に静磁場を形成する静磁場形成装置であって、前記静磁場を発生する静磁場発生源と、前記静磁場発生源が発生させる静磁場を調整する電磁石コイルがマトリクス状に配置されている整磁板と、前記整磁板に配置されている電磁石コイルを制御する制御手段とを有する。
【００１０】
上記の本発明の静磁場形成装置は、整磁板においてマトリクス状に配置されている電磁石コイルが、電磁石コイル制御手段により制御されて、静磁場発生源が発生する静磁場を調整する。
【発明の効果】
【００１１】
本発明によれば、静磁場の調整が容易に可能であって製造効率の向上が可能であり、画像品質を向上可能な磁気共鳴イメージング装置および静磁場形成装置を提供することができる。
【発明を実施するための最良の形態】
【００１２】
以下より、本発明にかかる実施形態の一例について図面を参照して説明する。
【００１３】
＜実施形態１＞
本発明にかかる実施形態１の磁気共鳴イメージング装置について説明する。
【００１４】
図１は、本実施形態の磁気共鳴イメージング装置の構成を示す構成図である。
【００１５】
図１に示すように、磁気共鳴イメージング装置は、静磁場マグネット部１２と、勾配コイル部１３と、ＲＦコイル部１４と、ＲＦ駆動部２２と、勾配駆動部２３と、データ収集部２４と、制御部２５と、クレードル２６と、データ処理部３１と、操作部３２と、表示部３３とを有する。
【００１６】
以下より、各構成要素について、順次、説明する。
【００１７】
静磁場マグネット部１２は、被検体が収容される撮影空間１１に静磁場を形成するために設けられている。静磁場マグネット部１２は、静磁場の方向が被検体４０の体軸方向に対して垂直な方向Ｚに沿うように構成されている。
【００１８】
図２は、静磁場マグネット部１２の構成を示す構成図である。
【００１９】
図２に示すように、静磁場マグネット部１２は、ヨーク１０１と、永久磁石１０２と、整磁板１０３と、カバー部１０４とを有する。
【００２０】
ヨーク１０１は、上ヨーク１０１ａと下ヨーク１０１ｂとサイドヨーク１０１ｃとを有する。上ヨーク１０１ａと下ヨーク１０１ｂとは、被検体が収容される撮影空間１１を挟むように配置され、サイドヨーク１０１ｃによって端部が支持されている。また、上ヨーク１０１ａと下ヨーク１０１ｂとサイドヨーク１０１ｃは、磁気的に接続されている。
【００２１】
永久磁石１０２は、被検体が収容される撮影空間１１を挟むように上ヨーク１０１ａと下ヨーク１０１ｂとにそれぞれ一対で配置されている。永久磁石１０２は、上ヨーク１０１ａと下ヨーク１０１ｂとに磁気的に接続されており、永久磁石１０２とヨーク１０１とによって、被検体が収容される撮影空間１１に静磁場が発生する。
【００２２】
整磁板１０３は、鉄などの強磁性体からなり、一対の永久磁石１０２が対面している面にそれぞれ配置されている。整磁板１０３は、被検体が収容される撮影空間１１に、永久磁石１０２とヨーク１０１とによって発生する静磁場を調整するために設けられている。
【００２３】
図３は、本実施形態の整磁板１０３の構成を拡大して示す拡大図である。図３において、図３（ａ）は断面図を示し、図３（ｂ）は上方から見た平面図である。
【００２４】
図３に示すように、整磁板１０３は、底板部１１１と、突起部１１２と、電磁石コイル１１３とを有する。
【００２５】
底板部１１１は、略同心円の円盤であり、底板部１１１の周囲を囲うように環状の突起部１１２が設けられている。整磁板１０３は、突起部１１２の部分が底板部１１１よりも厚くなっており、突起部１１２の方が底板部１１１よりも磁気抵抗が低い。このため、整磁板１０３は、突起部１１２によって静磁場の強度を補償し、静磁場を均一化している。
【００２６】
そして、突起部１１２に囲われた底板部１１１の表面には、電磁石コイル１１３が設けられている。
【００２７】
図４は、電磁石コイル１１３の構成を示す構成図である。
【００２８】
図４に示すように、電磁石コイル１１３は、ループ状に複数巻かれたコイルである。そして、電磁石コイル１１３は、図３（ｂ）に示すように、底板部１１１の表面にマトリクス状に配置されている。具体的には、電磁石コイル１１３は、底板部１１１の中心から放射状に等間隔に複数が配置されている。電磁石コイル１１３は、後述する制御部２５の電磁石コイル制御部１１４に接続されており、電磁石コイル制御部１１４から供給される電流に基づいて磁界を発生し、永久磁石１０２により発生している撮影空間１１の静磁場を調整する。本実施形態においては、電磁石コイル１１３は、静磁場方向に沿って磁界を発生し、その磁界の大きさと向きとを変更することにより静磁場を調整する。電磁石コイル１１３は、たとえば、１００〜２００ｐｐｍ程度のバラツキを有する静磁場に対して、４０〜５０ｐｐｍ以内のバラツキになるように静磁場を調整する。
【００２９】
カバー部１０４は、永久磁石１０２と整磁板１０３とを保護するために、永久磁石１０２と整磁板１０３とを覆うように設けられている。
【００３０】
勾配コイル部１３は、後述のＲＦコイル部１４が受信する磁気共鳴信号に３次元の位置情報を持たせるために、静磁場マグネット部１２が形成する静磁場の強度に勾配を付ける勾配磁場を形成する。勾配コイル部１３は、スライス選択勾配磁場、読み取り勾配磁場、位相エンコード勾配磁場の３種類の勾配磁場を形成するために勾配コイルを３系統有する。
【００３１】
ＲＦコイル部１４は、被検体４０の撮影領域である頭部全体を囲むように配置されており、送信用と受信用とを兼用するように構成されている。ＲＦコイル部１４は、静磁場マグネット部１２により静磁場が形成される撮影空間１１内において、被検体４０の撮影領域におけるプロトンのスピンを励起するために、電磁波であるＲＦ信号を送信して高周波磁場を形成する。そして、ＲＦコイル部１４は、静磁場マグネット部１２により形成されている静磁場の空間１１の内部において、励起されたプロトンから発生する電磁波を磁気共鳴信号として受信する。なお、ＲＦコイル部１４は、送信用コイルと受信用コイルが独立するように設けてもよい。
【００３２】
ＲＦ駆動部２２は、ＲＦコイル部１４を駆動させて撮影空間１１内に高周波磁場を形成するために、ゲート変調器（図示なし）とＲＦ電力増幅器（図示なし）とＲＦ発振器（図示なし）とを有する。ＲＦ駆動部２２は、制御部２５からの指示に基づいて、ＲＦ発振器からのＲＦ信号を、ゲート変調器を用いて所定のタイミングおよび所定の包絡線の信号に変調する。そして、ゲート変調器により変調されたＲＦ信号を、ＲＦ電力増幅器により増幅した後、ＲＦコイル部１４に出力する。
【００３３】
勾配駆動部２３は、制御部２５の指示に基づいて勾配コイル部１３を駆動させて、静磁場空間が形成されている撮影空間１１内に、勾配磁場を発生させる。勾配駆動部２３は、勾配コイル部１３の３系統の勾配コイルに対応して３系統の駆動回路（図示なし）を有する。
【００３４】
データ収集部２４は、ＲＦコイル部１４が受信する磁気共鳴信号を収集するために、位相検波器（図示なし）とアナログ／デジタル変換器（図示なし）とを有する。データ収集部２４は、ＲＦコイル部１４からの磁気共鳴信号を、ＲＦ駆動部２２のＲＦ発振器の出力を参照信号として、位相検波器によって位相検波し、アナログ／デジタル変換器に出力する。そして、位相検波器により位相検波されたアナログ信号である磁気共鳴信号を、アナログ／デジタル変換器によってデジタル信号に変換して、データ処理部３１に出力する。
【００３５】
制御部２５は、コンピュータにより構成されており、操作部３２からの指令信号に基づいて、ＲＦ駆動部２２と勾配駆動部２３とデータ収集部２４とを制御する。また、制御部２５は、所望の画像を得るために、操作部３２に入力される各種指令信号に基づいてデータ処理部３１を制御する。また、制御部２５は、電磁石コイル制御部１１４を有する。電磁石コイル制御部１１４は、図３に示すように、それぞれの電磁石コイル１１３に接続されている。詳細は後述するが、電磁石コイル制御部１１４は、静磁場分布が均一になるようにデータ処理部３１が算出する電流値に基づいて、電磁石コイル制御部１１４へ電流を供給し、永久磁石１０２により撮影空間１１に発生している静磁場を調整する。
【００３６】
クレードル２６は、被検体４０を載置する台であり、クレードル駆動部（図示なし）により撮影空間１１内に出し入れ可能となっている。
【００３７】
データ処理部３１は、コンピュータにより構成され、制御部２５に接続されており、操作部３２から入力された操作信号に応じて制御部２５を制御する。また、データ処理部３１は、データ収集部２４に接続されており、データ収集部２４から出力される磁気共鳴信号に対して各種の画像処理をして、画像データを生成する。また、データ処理部３１は、永久磁石１０２によって発生する静磁場の分布の測定結果を記憶する。そして、データ処理部３１は、その記憶している静磁場分布の測定結果を解析して、静磁場分布が均一になるように、それぞれの電磁石コイル１１３に供給する電流値を算出し、電磁石コイル制御部１１４に制御信号を出力する。データ処理部３１は、撮影空間内１１に発生した静磁場の分布に基づいて、電磁石コイル１１３に供給する電流の向きや大きさを変えるような制御信号を出力する。
【００３８】
操作部３２は、キーボードやマウスなどの操作デバイスにより構成されており、オペレータの操作に応じた操作信号をデータ処理部３１に出力する。
【００３９】
表示部３３は、グラフィックディスプレイなどの表示デバイスにより構成されており、データ処理部３１から出力される画像データに基づいて断層画像の表示を行う。
【００４０】
なお、本実施形態における静磁場マグネット部１２と電磁石コイル制御部１１４とは、本発明の静磁場形成手段と静磁場形成装置とに相当する。また、本実施形態における勾配コイル部１３と勾配駆動部２３とは、本発明の勾配磁場形成手段に相当する。また、本実施形態におけるＲＦコイル部１４とＲＦ駆動部２２とは、本発明の送信手段に相当する。また、本実施形態におけるＲＦコイル部１４とデータ収集部２４とは、本発明の受信手段に相当する。また、本実施形態におけるデータ処理部３１は、本発明の画像形成手段に相当する。また、本実施形態における永久磁石１０２は、本発明の静磁場発生源に相当する。また、本実施形態における電磁石コイル１１３は、本発明の電磁石コイルに相当する。また、本実施形態における整磁板１０３は、本発明の整磁板に相当する。また、本実施形態における電磁石コイル制御部１１４は、本発明の電磁石コイル制御手段に相当する。
【００４１】
以下より、上記の本実施形態の磁気共鳴イメージング装置を用いて撮影空間１１に静磁場を形成する静磁場形成方法について説明する。
【００４２】
まず、静磁場発生源である永久磁石１０２を用いて撮影空間内１１に静磁場を発生する。この時、磁気センサーを用いて、撮影空間内１１に発生した静磁場の分布を測定する。そして、操作部３２を用いて、その測定結果をデータ処理部３１のメモリに記憶させる。
【００４３】
つぎに、そして、データ処理部３１は、記憶している静磁場分布の測定結果を解析し、それぞれの電磁石コイル１１３に供給する電流値を算出し、電磁石コイル制御部１１４に制御信号を出力する。たとえば、データ処理部３１は、撮影空間内１１に発生した静磁場の分布に基づいて、電磁石コイル１１３に供給する電流の向きや大きさを変えるような駆動信号を出力する。
【００４４】
つぎに、データ処理部３１からの制御信号に基づいて、電磁石コイル制御部１１４がそれぞれの電磁石コイル１１３に駆動信号を出力する。
【００４５】
つぎに、電磁石コイル制御部１１４からの駆動信号に基づいて、それぞれの電磁石コイル１１３が磁界を発生し、永久磁石１０２により発生した撮影空間内１１の静磁場の分布を均一化する。
【００４６】
以下より、上記の本実施形態の磁気共鳴イメージング装置を用いて被検体４０の断層画像の撮影をする撮影方法について説明する。
【００４７】
始めに、被検体４０をクレードル２６に載置する。その後、被検体４０の撮影領域である頭部に、ＲＦコイル部１４を設置する。そして、パルスシーケンスなどの撮影情報を操作部３２に入力する。そして、その入力された撮影情報に基づいて、静磁場マグネット部１２により撮影空間１１に形成される静磁場の分布を、整磁板１０３の電磁石コイル１１３を用いて均一化する。ここでは、データ処理部３１が、記憶している静磁場分布の測定結果を解析し、それぞれの電磁石コイルに供給する電流値を算出して、電磁石コイル制御部１１４に制御信号を出力する。その後、データ処理部３１からの制御信号に基づいて、電磁石コイル制御部１１４がそれぞれの電磁石コイル１１３に駆動信号を出力する。そして、電磁石コイル制御部１１４からの駆動信号に基づいて、それぞれの電磁石コイル１１３が磁界を発生し、永久磁石１０２により発生した撮影空間内１１の静磁場の分布を均一化する。
【００４８】
つぎに、操作部３２に入力された撮影情報に基づいて、静磁場が形成されている撮影空間１１内に、被検体４０が載置されているクレードル２６をクレードル駆動部により駆動させ、被検体４０の撮影領域である頭部を空間１１の内部に搬入する。そして、撮影情報に基づく操作信号を、操作部３２が制御部２５に出力する。
【００４９】
つぎに、その操作信号に基づいて、制御部２５がＲＦ駆動部２２と勾配駆動部２３とデータ収集部２４とを制御し、ＲＦコイル部１４と勾配コイル部１３とを駆動してスキャンを実施する。そして、被検体４０からの磁気共鳴信号をＲＦコイル部１４が受信する。
【００５０】
つぎに、ＲＦコイル部１４が受信した磁気共鳴信号をデータ収集部２４が収集する。データ収集部２４は、位相検波器によって位相検波し、アナログ／デジタル変換器によって磁気共鳴信号をデジタル信号に変換して、データ処理部３１に出力する。
【００５１】
つぎに、データ収集部２４から出力される磁気共鳴信号に対してデータ処理部３１が画像処理し、表示部３３が画像を表示する。
【００５２】
以上のように、本実施形態においては、撮影空間１１に静磁場を発生する静磁場発生源である永久磁石１０２と、永久磁石１０２が発生する静磁場を調整する電磁石コイル１１３がマトリクス状に配置されている整磁板１０３と、整磁板１０３に配置されている電磁石コイル１１３を制御する電磁石コイル制御部１１４とを有する。ここで、電磁石コイル制御部１１４は、電磁石コイル１１３のそれぞれを制御するように設けられている。本実施形態は、整磁板１０３においてマトリクス状に配置されている電磁石コイル１１３が、電磁石コイル制御部１１４により制御されて、静磁場発生源である永久磁石１０２が発生する静磁場を調整する。このため、静磁場の調整が容易に可能であって製造効率の向上が可能であり、画像品質を向上可能となる。
【００５３】
＜実施形態２＞
本発明にかかる実施形態２の磁気共鳴イメージング装置について説明する。
【００５４】
本実施形態の磁気共鳴イメージング装置は、整磁板１０３が実施形態１と異なっている。
整磁板１０３が実施形態１と異なることを除き、実施形態１と同様である。このため、実施形態１と重複する個所については説明を省略する。
【００５５】
図５は、本実施形態の整磁板１０３の構成を拡大して示す拡大図である。図５において、図５（ａ）は断面図を示し、図５（ｂ）は上方から見た平面図である。
【００５６】
図５に示すように、本実施形態の整磁板１０３においては、電磁石コイル１１３が第１電磁石コイル１１３ａと第２電磁石コイル１１３ｂとにより構成されており、第１電磁石コイル１１３ａと第２電磁石コイル１１３ｂとが複数積み重なるようにして配置されている。第１電磁石コイル１１３ａは、制御部２５の第１電磁石コイル制御部１１４ａに接続されている。一方、第２電磁石コイル１１３ｂは、制御部２５の第２電磁石コイル制御部１１４ｂに接続されている。
【００５７】
また、電磁石コイル制御部１１４は、第１電磁石コイル制御部１１４ａと第２電磁石コイル制御部１１４ｂとにより構成されている。第１電磁石コイル制御部１１４ａと第２電磁石コイル制御部１１４ｂとは、第１電磁石コイル１１３ａと第２電磁石コイル１１３ｂとをオン状態またはオフ状態にするようにそれぞれスイッチング制御する。第１電磁石コイル制御部１１４ａと第２電磁石コイル制御部１１４ｂとは、互いが異なる電圧の電源に接続されており、撮影空間１１の静磁場分布が均一になるように、第１電磁石コイル１１３ａと第２電磁石コイル１１３ｂとに供給する電流のオンとオフとを制御する。
【００５８】
以上のように、本実施形態において、整磁板１１１は、電磁石コイル１１３として、第１電磁石コイル１１３ａと第２電磁石コイル１１３ｂとが複数積み重なるようにして配置されている。そして、電磁石コイル制御部１１４は、第１電磁石コイル制御部１１４ａと第２電磁石コイル制御部１１４ｂとにより構成され、第１電磁石コイル制御部１１４ａと第２電磁石コイル制御部１１４ｂとが、第１電磁石コイル１１３ａと第２電磁石コイル１１３ｂとをオン状態またはオフ状態にするようにそれぞれスイッチング制御する。これにより、オン状態とオフ状態とのスイッチング制御をするような単純な回路により電磁石コイル制御部１１４が構成されている場合であっても、第１電磁石コイル１１３ａと第２電磁石コイル１１３ｂとによって複数の磁気強度で静磁場を調整することができる。このため、静磁場の調整が容易に可能であって製造効率の向上が可能であり、画像品質を向上可能となる。
【００５９】
＜実施形態３＞
本発明にかかる実施形態３の磁気共鳴イメージング装置について説明する。
【００６０】
本実施形態の磁気共鳴イメージング装置は、整磁板１０３が実施形態１と異なっている。
整磁板１０３が実施形態１と異なることを除き、実施形態１と同様である。このため、実施形態１と重複する個所については説明を省略する。
【００６１】
図６は、本実施形態の整磁板１０３の構成を拡大して示す拡大図である。図６において、図６（ａ）は断面図を示し、図６（ｂ）は上方から見た平面図である。
【００６２】
図６に示すように、本実施形態の整磁板１０３においては、永久磁石１０２により発生する静磁場の中央側に対応するように電磁石コイル１１３が配置され、永久磁石１０２により生成される静磁場の周辺側に対応するように磁極片１１５が配置されている。永久磁石１０２により発生する静磁場の中央側においては、電磁石コイル１１３がその静磁場を調整し、永久磁石１０２により生成される静磁場の周辺側においては、磁極片１１５がその静磁場を調整する。
【００６３】
以上のように、本実施形態において、整磁板１１１は、永久磁石１０２により発生する静磁場の中央側に対応するように電磁石コイル１１３が配置され、永久磁石１０２により生成される静磁場の周辺側に対応するように磁極片１１５が配置されている。静磁場の中央側においては、より優れた画像品質が要求されるため、電磁石コイル１１３によって静磁場を微調整できるようになっている。そして、静磁場の周辺側においては、安価な磁極片１１５を用いて静磁場を調整する。このため、静磁場の調整が容易に可能であって製造効率の向上が可能であり、画像品質を向上可能となる。
【００６４】
なお、本発明の実施に際しては、上記した実施形態に限定されるものではなく、種々の変形形態を採用することができる。
【００６５】
たとえば、上記実施形態において、静磁気発生源として永久磁石を用いた場合について示しているが、これに限定されず、たとえば、超伝導コイル、常伝導コイルなどを用いる場合についても適用することができる。
【図面の簡単な説明】
【００６６】
【図１】図１は、本実施形態の磁気共鳴イメージング装置の構成を示す構成図である。
【図２】図２は、本発明にかかる実施形態１の磁気共鳴イメージング装置における静磁場マグネット部の構成を示す構成図である。
【図３】図３は、本発明にかかる実施形態１の磁気共鳴イメージング装置における整磁板の構成を拡大して示す拡大図である。
【図４】図４は、本発明にかかる実施形態１の磁気共鳴イメージング装置における電磁石コイルの構成を示す構成図である。
【図５】図５は、本発明にかかる実施形態２の磁気共鳴イメージング装置における整磁板の構成を拡大して示す拡大図である。
【図６】図６は、本発明にかかる実施形態３の磁気共鳴イメージング装置における整磁板の構成を拡大して示す拡大図である。
【符号の説明】
【００６７】
１１：撮影空間
１２：静磁場マグネット部
１３：勾配コイル部
１４：ＲＦコイル部
２２：ＲＦ駆動部
２３：勾配駆動部
２４：データ収集部
２５：制御部
２６：クレードル
３１：データ処理部
３２：操作部
３３：表示部
１０１：ヨーク
１０２：永久磁石
１０３：整磁板
１０４：カバー部
１１１：底板部
１１２：突起部
１１３：電磁石コイル
１１４：電磁石コイル制御部
【図１】
2005278805.tif 000003
【図２】
2005278805.tif 000004
【図３】
2005278805.tif 000005
【図４】
2005278805.tif 000006
【図５】
2005278805.tif 000007
【図６】
2005278805.tif 000008